(57)【要約】【課題】本発明は皺防止可能なシャツ干し器を開示した。【解決手段】本発明は皺防止可能なシャツ干し器を開示し、ハンガーを含み、前記ハンガーの下端壁には左右に対称的に連接スライド溝が設置されており、前記連接スライド溝の中には連接ブロックがスライドできるように連結されており、前記モーターを始動し、それにより前記扇風機を回転連動させ、本装置は洗濯済みのシャツを完全に支え、干す過程中に、服に皺ができないようにし、それに本装置は快速に風で乾燥できる扇風機が設置されており、天気が悪い状況でシャツを風で乾かし、人々が日常に服を便利に着換えられ、本装置は機械の伝動によって作動しあい、誤る可能性を低め、同時に装置のコストを節約してエネルギー消費を節約する。【選択図】図１
2020179072.tif 000002
【特許請求の範囲】
【請求項１】
皺防止可能なシャツ干し器であって、ハンガーを含み、前記ハンガーの下端壁には左右に対称的に連接スライド溝が設置されており、前記連接スライド溝の中には連接ブロックがスライドできるように連結されており、前記連接ブロックの下端には皺防止ボードが固定的に設置されており、前記皺防止ボードの左右の端面には対称的に十個の凸ブロックスライド溝が設置されており、前記凸ブロックスライド溝の中には凸ブロックがスライドできるように連結されており、前記凸ブロックと前記凸ブロックスライド溝の間には凸ブロック撥条が連結されており、前記凸ブロックによって服を伸びすぎるのを防止でき、前記ハンガーの下端面には左右に対称的に支持棒が固定的に設置されており、前記支持棒の下端には中空のリング盤が設置されており、前記リング盤の中には乾き装置が設置されており、前記リング盤の中には固定ボードが設置されており、前記リング盤の下端面と左右に対称的な前記支持棒とが固定的に連結されており、前記支持棒の下端面には作業ブロックが固定的に設置されており、前記作業ブロックの中には開口溝が設置されており、前記開口溝の下端壁には左右に対称的に延伸スライド溝が設置されており、前記延伸スライド溝の下端壁には移動スライド溝が設置されており、前記開口溝の下端壁にはＴ形棒がスライドできるように連結されており、前記Ｔ形棒は下へ伸びて前記開口溝の下端壁を貫通して外部空間に伸びており、且つ前記作業ブロックの下端面とスライドできるように連結されており、前記Ｔ形棒と前記開口溝の間には戻し撥条が連結されており、前記延伸スライド溝の中には対称的に延伸ブロックがスライドできるように連結されており、前記延伸ブロックの上端面には前記Ｔ形棒とスライドできるように連結される係止溝が設置されており、左端の前記延伸ブロックと左端の前記皺防止ボードとが固定的に連結されており、右端の前記延伸ブロックと右端の前記皺防止ボードとが固定的に連結されており、前記延伸ブロックの下端面には前記移動スライド溝とスライドできるように連結される移動ブロックが固定的に設置されており、前記移動ブロックと前記移動スライド溝の間には連接撥条が連結されており、前記作業ブロックの上端面にはモーターが固定的に設置されており、前記モーターの上端面にはモーター軸が伝動できるように連結されており、前記モーター軸は上へ伸びていて前記リング盤と前記固定ボードを貫通しており、且つ前記リング盤と前記固定ボードとが回転できるように連結されており、前記ハンガーの中には切替溝が設置されており、前記モーター軸は上へ伸びていて前記ハンガーの下端面を貫通して前記切替溝の中に挿入されており、且つ前記ハンガーの下端面と前記切替溝の下端壁とが回転できるように連結されており、前記切替溝の左右端には対称的に収納溝が設置されており、前記収納溝の中にはそれぞれ袖ハンガーがスライドできるように連結されており、前記切替溝の中には駆動装置が設置されており、前記モーター軸は前記駆動装置を回転連動させ、前記駆動装置は前記袖ハンガーの左右移動を制御でき、前記切替溝の上端壁には抜き穴が設置されており、前記抜き穴の上端壁には内凹槽が設置されており、前記内凹槽の中には制御装置が設置されており、前記制御装置は駆動装置のモードを切り替えられることを特徴とする皺防止可能なシャツ干し器。
【請求項２】
前記乾き装置は前記固定ボードの中に位置する駆動チャンバを含み、前記モーター軸において前記駆動チャンバの中には第六傘歯車が固定的に設置されており、前記駆動チャンバの後端壁には貫通軸が回転できるように連結されており、前記貫通軸の前端には前記第六傘歯車を噛み合う第五傘歯車が固定的に設置されており、前記貫通軸の後端は後へ伸びて前記駆動チャンバを貫通しており、前記貫通軸の後端には乾燥用の固定ボードが固定的に設置されており、前記モーターを始動し、それにより前記モーター軸と前記第六傘歯車の回転によって、前記第五傘歯車と前記貫通軸を回転連動させ、それにより前記扇風機を回転連動させ、快速に風で乾燥させることを特徴とする請求項１に記載の皺防止可能なシャツ干し器。
【請求項３】
前記制御装置は前記内凹槽とスライドできるように設置される位置制限ブロックを含み、前記位置制限ブロックの上端面にはフックが設置されており、前記位置制限ブロックの中には駆動軸が回転できるように連結されており、前記駆動軸の上端面には第四傘歯車が固定的に設置されており、前記第四傘歯車の下端には前記駆動軸と固定的に連結される第一傘歯車が設置されており、前記駆動軸の中には下へ開口する軸溝が設置されており、前記軸溝と前記モーター軸とがスライドできるように連結されており、前記軸溝の左端壁には連動溝が設置されており、前記連動溝の中には前記モーター軸と固定的に連結される連動ブロックがスライドできるように連結されており、前記連動ブロックと前記連動溝の上端壁の間には連動撥条が連結されており、前記駆動軸が回転し、それにより前記連動ブロックによって前記モーター軸を回転連動させることを特徴とする請求項１に記載の皺防止可能なシャツ干し器。
【請求項４】
前記駆動装置は左右に対称的に設置されており、左の方を例として説明し、前記駆動装置は前記切替溝の左端壁と回転できるように連結される長リードスクリューを含み、前記長リードスクリューの右端には前記第四傘歯車と噛み合う第三傘歯車が固定的に設置されており、前記長リードスクリューは左へ伸びており、且つ前記切替溝の左端壁を貫通して前記収納溝の中に挿入されており、且つ前記袖ハンガーとネジ山によって連結されており、前記袖ハンガーの中には左右に貫通した風乾溝が連結されており、前記収納溝の右端壁には扇風機軸が回転できるように連結されており、前記扇風機軸は左へ伸びていて前記風乾溝の中に挿入されており、前記扇風機軸の左端には小扇風機が固定的に設置されており、前記扇風機軸の右端は右へ伸びていて前記切替溝の中に挿入されており、且つ前記切替溝の左端壁と回転できるように連結されており、前記扇風機軸の右端には前記第一傘歯車と噛み合う第二傘歯車が固定的に設置されており、前記長リードスクリューの回転により前記袖ハンガーを左右に移動連動させることができ、前記扇風機軸の回転により前記小扇風機を通じて袖を風で乾燥させることを特徴とする請求項１に記載の皺防止可能なシャツ干し器。
【発明の詳細な説明】
【技術分野】
【０００１】
本発明は服保護分野を取り上げて、具体的には皺防止可能なシャツ干し器である。
【背景技術】
【０００２】
シャツはフォーマルな服装として、需要量が非常に大きく、ところがシャツが洗濯されて干されてから、皺がいっぱいできて、次着る時にはアイロンをかける必要があり、すごく面倒くさく、それに冬の時、服が乾くまで時間がかかり、次の装着には不利である。
【先行技術文献】
【特許文献】
【０００３】
【特許文献１】中国特許出願公開第１０１１５８１０７号明細書
【発明の概要】
【発明が解決しようとする課題】
【０００４】
本発明の目的は皺防止可能なシャツ干し器を提供し、上記背景技術に提出される問題を解決する。
【課題を解決するための手段】
【０００５】
皺防止可能なシャツ干し器は、ハンガーを含み、前記ハンガーの下端壁には左右に対称的に連接スライド溝が設置されており、前記連接スライド溝の中には連接ブロックがスライドできるように連結されており、前記連接ブロックの下端には皺防止ボードが固定的に設置されており、前記皺防止ボードの左右の端面には対称的に十個の凸ブロックスライド溝が設置されており、前記凸ブロックスライド溝の中には凸ブロックがスライドできるように連結されており、前記凸ブロックと前記凸ブロックスライド溝の間には凸ブロック撥条が連結されており、前記凸ブロックによって服を伸びすぎるのを防止でき、前記ハンガーの下端面には左右に対称的に支持棒が固定的に設置されており、前記支持棒の下端には中空のリング盤が設置されており、前記リング盤の中には乾き装置が設置されており、前記リング盤の中には固定ボードが設置されており、前記リング盤の下端面と左右に対称的な前記支持棒とが固定的に連結されており、前記支持棒の下端面には作業ブロックが固定的に設置されており、前記作業ブロックの中には開口溝が設置されており、前記開口溝の下端壁には左右に対称的に延伸スライド溝が設置されており、前記延伸スライド溝の下端壁には移動スライド溝が設置されており、前記開口溝の下端壁にはＴ形棒がスライドできるように連結されており、前記Ｔ形棒は下へ伸びて前記開口溝の下端壁を貫通して外部空間に伸びており、且つ前記作業ブロックの下端面とスライドできるように連結されており、前記Ｔ形棒と前記開口溝の間には戻し撥条が連結されており、前記延伸スライド溝の中には対称的に延伸ブロックがスライドできるように連結されており、前記延伸ブロックの上端面には前記Ｔ形棒とスライドできるように連結される係止溝が設置されており、左端の前記延伸ブロックと左端の前記皺防止ボードとが固定的に連結されており、右端の前記延伸ブロックと右端の前記皺防止ボードとが固定的に連結されており、前記延伸ブロックの下端面には前記移動スライド溝とスライドできるように連結される移動ブロックが固定的に設置されており、前記移動ブロックと前記移動スライド溝の間には連接撥条が連結されており、前記作業ブロックの上端面にはモーターが固定的に設置されており、前記モーターの上端面にはモーター軸が伝動できるように連結されており、前記モーター軸は上へ伸びていて前記リング盤と前記固定ボードを貫通しており、且つ前記リング盤と前記固定ボードとが回転できるように連結されており、前記ハンガーの中には切替溝が設置されており、前記モーター軸は上へ伸びていて前記ハンガーの下端面を貫通して前記切替溝の中に挿入されており、且つ前記ハンガーの下端面と前記切替溝の下端壁とが回転できるように連結されており、前記切替溝の左右端には対称的に収納溝が設置されており、前記収納溝の中にはそれぞれ袖ハンガーがスライドできるように連結されており、前記切替溝の中には駆動装置が設置されており、前記モーター軸は前記駆動装置を回転連動させ、前記駆動装置は前記袖ハンガーの左右移動を制御でき、前記切替溝の上端壁には抜き穴が設置されており、前記抜き穴の上端壁には内凹槽が設置されており、前記内凹槽の中には制御装置が設置されており、前記制御装置は駆動装置のモードを切り替えられる。
【０００６】
更なる技術方案、前記乾き装置は前記固定ボードの中に位置する駆動チャンバを含み、前記モーター軸において前記駆動チャンバの中には第六傘歯車が固定的に設置されており、前記駆動チャンバの後端壁には貫通軸が回転できるように連結されており、前記貫通軸の前端には前記第六傘歯車を噛み合う第五傘歯車が固定的に設置されており、前記貫通軸の後端は後へ伸びて前記駆動チャンバを貫通しており、前記貫通軸の後端には乾燥用の固定ボードが固定的に設置されており、前記モーターを始動し、それにより前記モーター軸と前記第六傘歯車の回転によって、前記第五傘歯車と前記貫通軸を回転連動させ、それにより前記扇風機を回転連動させ、快速に風で乾燥させる。
【０００７】
更なる技術方案、前記制御装置は前記内凹槽とスライドできるように設置される位置制限ブロックを含み、前記位置制限ブロックの上端面にはフックが設置されており、前記位置制限ブロックの中には駆動軸が回転できるように連結されており、前記駆動軸の上端面には第四傘歯車が固定的に設置されており、前記第四傘歯車の下端には前記駆動軸と固定的に連結される第一傘歯車が設置されており、前記駆動軸の中には下へ開口する軸溝が設置されており、前記軸溝と前記モーター軸とがスライドできるように連結されており、前記軸溝の左端壁には連動溝が設置されており、前記連動溝の中には前記モーター軸と固定的に連結される連動ブロックがスライドできるように連結されており、前記連動ブロックと前記連動溝の上端壁の間には連動撥条が連結されており、前記駆動軸が回転し、それにより前記連動ブロックによって前記モーター軸を回転連動させる。
【０００８】
更なる技術方案、前記駆動装置は左右に対称的に設置されており、左の方を例として説明し、前記駆動装置は前記切替溝の左端壁と回転できるように連結される長リードスクリューを含み、前記長リードスクリューの右端には前記第四傘歯車と噛み合う第三傘歯車が固定的に設置されており、前記長リードスクリューは左へ伸びており、且つ前記切替溝の左端壁を貫通して前記収納溝の中に挿入されており、且つ前記袖ハンガーとネジ山によって連結されており、前記袖ハンガーの中には左右に貫通した風乾溝が連結されており、前記収納溝の右端壁には扇風機軸が回転できるように連結されており、前記扇風機軸は左へ伸びていて前記風乾溝の中に挿入されており、前記扇風機軸の左端には小扇風機が固定的に設置されており、前記扇風機軸の右端は右へ伸びていて前記切替溝の中に挿入されており、且つ前記切替溝の左端壁と回転できるように連結されており、前記扇風機軸の右端には前記第一傘歯車と噛み合う第二傘歯車が固定的に設置されており、前記長リードスクリューの回転により前記袖ハンガーを左右に移動連動させることができ、前記扇風機軸の回転により前記小扇風機を通じて袖を風で乾燥させる。
【発明の効果】
【０００９】
本発明の有益な効果は下記の通りである：
【００１０】
本装置は洗濯済みのシャツを完全に支え、干す過程中に、服に皺ができないようにし、それに本装置は快速に風で乾燥できる扇風機が設置されており、天気が悪い状況でシャツを風で乾かし、人々が日常に服を便利に着換えられ、本装置は機械の伝動によって作動しあい、誤る可能性を低め、同時に装置のコストを節約してエネルギー消費を節約する。
【図面の簡単な説明】
【００１１】
発明実施例或いは現有技術中の技術構想をもっとはっきり説明するため、以下は実施例或いは現有技術の説明に使用される付図に対して簡単なる紹介し、明らかに、以下の説明の付図は発明の実施例だけ、本分野の普通の技術人員にとって、創造的な労働を払わなくても、この付図によって他の付図を得られる。
【図１】図１は本発明の皺防止可能なシャツ干し器の全体断面の正面構成模式図
【図２】図２は本発明図１のＡの部分拡大図
【図３】図３は本発明図１のＢの部分拡大図
【発明を実施するための形態】
【００１２】
本発明の公開されるすべての特徴、或いは公開されるすべての方法或いは過程中の順次は互いに排斥する特徴と／或いは順序以外、全ての方式によって組み合わせる。
【００１３】
本説明書（いかなる付加特許請求と、摘要と附図を含み）の中に公開される任意の特徴は、特別に説明するしか、他の等値或いはそれに似る目的の切替特徴に切り替えられない。即ち、特別に説明しなければ、任意の特徴はシリーズ等値或いはそれに似る特徴の中の一つの例しかない。
【００１４】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１５】
図１−３を参考して、本発明が提供する実施例：皺防止可能なシャツ干し器は、ハンガー２６を含み、前記ハンガー２６の下端壁には左右に対称的に連接スライド溝５４が設置されており、前記連接スライド溝５４の中には連接ブロック５３がスライドできるように連結されており、前記連接ブロック５３の下端には皺防止ボード５２が固定的に設置されており、前記皺防止ボード５２の左右の端面には対称的に十個の凸ブロックスライド溝４９が設置されており、前記凸ブロックスライド溝４９の中には凸ブロック５０がスライドできるように連結されており、前記凸ブロック５０と前記凸ブロックスライド溝４９の間には凸ブロック撥条５１が連結されており、前記凸ブロック５０によって服を伸びすぎるのを防止でき、前記ハンガー２６の下端面には左右に対称的に支持棒４８が固定的に設置されており、前記支持棒４８の下端には中空のリング盤６８が設置されており、前記リング盤６８の中には乾き装置１０１が設置されており、前記リング盤６８の中には固定ボード３４が設置されており、前記リング盤６８の下端面と左右に対称的な前記支持棒４８とが固定的に連結されており、前記支持棒４８の下端面には作業ブロック４６が固定的に設置されており、前記作業ブロック４６の中には開口溝３７が設置されており、前記開口溝３７の下端壁には左右に対称的に延伸スライド溝３９が設置されており、前記延伸スライド溝３９の下端壁には移動スライド溝４３が設置されており、前記開口溝３７の下端壁にはＴ形棒４１がスライドできるように連結されており、前記Ｔ形棒４１は下へ伸びて前記開口溝３７の下端壁を貫通して外部空間に伸びており、且つ前記作業ブロック４６の下端面とスライドできるように連結されており、前記Ｔ形棒４１と前記開口溝３７の間には戻し撥条３８が連結されており、前記延伸スライド溝３９の中には対称的に延伸ブロック４５がスライドできるように連結されており、前記延伸ブロック４５の上端面には前記Ｔ形棒４１とスライドできるように連結される係止溝４０が設置されており、左端の前記延伸ブロック４５と左端の前記皺防止ボード５２とが固定的に連結されており、右端の前記延伸ブロック４５と右端の前記皺防止ボード５２とが固定的に連結されており、前記延伸ブロック４５の下端面には前記移動スライド溝４３とスライドできるように連結される移動ブロック４２が固定的に設置されており、前記移動ブロック４２と前記移動スライド溝４３の間には連接撥条４４が連結されており、前記作業ブロック４６の上端面にはモーター４７が固定的に設置されており、前記モーター４７の上端面にはモーター軸３６が伝動できるように連結されており、前記モーター軸３６は上へ伸びていて前記リング盤６８と前記固定ボード３４を貫通しており、且つ前記リング盤６８と前記固定ボード３４とが回転できるように連結されており、前記ハンガー２６の中には切替溝６３が設置されており、前記モーター軸３６は上へ伸びていて前記ハンガー２６の下端面を貫通して前記切替溝６３の中に挿入されており、且つ前記ハンガー２６の下端面と前記切替溝６３の下端壁とが回転できるように連結されており、前記切替溝６３の左右端には対称的に収納溝２４が設置されており、前記収納溝２４の中にはそれぞれ袖ハンガー２５がスライドできるように連結されており、前記切替溝６３の中には駆動装置１０３が設置されており、前記モーター軸３６は前記駆動装置１０を回転連動させ、前記駆動装置１０３は前記袖ハンガー２５の左右移動を制御でき、前記切替溝６３の上端壁には抜き穴３１が設置されており、前記抜き穴３１の上端壁には内凹槽２７が設置されており、前記内凹槽２７の中には制御装置１０２が設置されており、前記制御装置１０２は駆動装置１０３のモードを切り替えられる。
【００１６】
前記乾き装置１０１は前記固定ボード３４の中に位置する駆動チャンバ６６を含み、前記モーター軸３６において前記駆動チャンバ６６の中には第六傘歯車６７が固定的に設置されており、前記駆動チャンバ６６の後端壁には貫通軸６４が回転できるように連結されており、前記貫通軸６４の前端には前記第六傘歯車６７を噛み合う第五傘歯車６５が固定的に設置されており、前記貫通軸６４の後端は後へ伸びて前記駆動チャンバ６６を貫通しており、前記貫通軸６４の後端には乾燥用の固定ボード３４が固定的に設置されており、前記モーター４７を始動し、それにより前記モーター軸３６と前記第六傘歯車３７の回転によって、前記第五傘歯車６５と前記貫通軸６４を回転連動させ、それにより前記扇風機３３を回転連動させ、快速に風で乾燥させる。
【００１７】
前記制御装置１０２は前記内凹槽２７とスライドできるように設置される位置制限ブロック２８を含み、前記位置制限ブロック２８の上端面にはフック２９が設置されており、前記位置制限ブロック２８の中には駆動軸３０が回転できるように連結されており、前記駆動軸３０の上端面には第四傘歯車５９が固定的に設置されており、前記第四傘歯車５９の下端には前記駆動軸３０と固定的に連結される第一傘歯車６２が設置されており、前記駆動軸３０の中には下へ開口する軸溝５５が設置されており、前記軸溝５５と前記モーター軸３６とがスライドできるように連結されており、前記軸溝５５の左端壁には連動溝５７が設置されており、前記連動溝５７の中には前記モーター軸３６と固定的に連結される連動ブロック５８がスライドできるように連結されており、前記連動ブロック５８と前記連動溝５７の上端壁の間には連動撥条５６が連結されており、前記駆動軸３０が回転し、それにより前記連動ブロック５８によって前記モーター軸３６を回転連動させる。
【００１８】
前記駆動装置１０３は左右に対称的に設置されており、左の方を例として説明し、前記駆動装置１０３は前記切替溝６３の左端壁と回転できるように連結される長リードスクリュー２３を含み、前記長リードスクリュー２３の右端には前記第四傘歯車５９と噛み合う第三傘歯車６０が固定的に設置されており、前記長リードスクリュー２３は左へ伸びており、且つ前記切替溝６３の左端壁を貫通して前記収納溝２４の中に挿入されており、且つ前記袖ハンガー２５とネジ山によって連結されており、前記袖ハンガー２５の中には左右に貫通した風乾溝７０が連結されており、前記収納溝２４の右端壁には扇風機軸２１が回転できるように連結されており、前記扇風機軸２１は左へ伸びていて前記風乾溝７０の中に挿入されており、前記扇風機軸２１の左端には小扇風機２２が固定的に設置されており、前記扇風機軸２１の右端は右へ伸びていて前記切替溝６３の中に挿入されており、且つ前記切替溝６３の左端壁と回転できるように連結されており、前記扇風機軸２１の右端には前記第一傘歯車６２と噛み合う第二傘歯車６１が固定的に設置されており、前記長リードスクリュー２３の回転により前記袖ハンガー２５を左右に移動連動させることができ、前記扇風機軸２１の回転により前記小扇風機を通じて袖を風で乾燥させる。
【００１９】
使用する時、洗濯済のシャツをハンガー２６にかけ、それからＴ形棒４１を上に押え、それによりＴ形棒を係止溝４０から離脱させ、連接撥条４４によって延伸ブロック４５と皺防止ボード５２をそれぞれ左右両端に移動させ、シャツを固定させ、皺を防止し、それにフック２９を下へ押え、それにより袖ハンガー２５をそれぞれ下へ移動連動させ、第四傘歯車５９を第三傘歯車６０と噛み合わせ、それからモーター４７を始動し、それによりモーター軸３６を回転連動させ、それにより連動ブロック５８によって第四傘歯車５９と第三傘歯車６０を回転連動させ、それにより長リードスクリュー２３を回転連動させ、袖ハンガー２５をそれぞれ左右両端に移動させ、それにより袖を支え、そしてフック２９を竿掛けに掛け、それによりフック２９は上へ移動して第一傘歯車６２を第二傘歯車６１と噛み合わせ、モーター軸３６が回転して第六傘歯車６７と第五傘歯車６５と貫通軸６４と扇風機３３を回転連動させ、それにより衣服を快速に風で乾かし、駆動軸３０が回転して第二傘歯車６１と、第一傘歯車６２とを回転連動させ、それにより扇風機軸２１と小扇風機２２を回転連動させ、袖を風で乾かす。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020179072.tif 000003
【図２】
2020179072.tif 000004
【図３】
2020179072.tif 000005
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
皺防止可能なシャツ干し器であって、ハンガーを含み、前記ハンガーの下端壁には左右に対称的に連接スライド溝が設置されており、前記連接スライド溝の中には連接ブロックがスライドできるように連結されており、前記連接ブロックの下端には皺防止ボードが固定的に設置されており、前記皺防止ボードの左右の端面には対称的に十個の凸ブロックスライド溝が設置されており、前記凸ブロックスライド溝の中には凸ブロックがスライドできるように連結されており、前記凸ブロックと前記凸ブロックスライド溝の間には凸ブロック撥条が連結されており、前記凸ブロックによって服を伸びすぎるのを防止でき、前記ハンガーの下端面には左右に対称的に支持棒が固定的に設置されており、前記支持棒の下端には中空のリング盤が設置されており、前記リング盤の中には乾燥装置が設置されており、前記リング盤の中には固定ボードが設置されており、前記リング盤の下端面と左右に対称的な前記支持棒とが固定的に連結されており、前記支持棒の下端面には作業ブロックが固定的に設置されており、前記作業ブロックの中には開口溝が設置されており、前記開口溝の下端壁には左右に対称的に延伸スライド溝が設置されており、前記延伸スライド溝の下端壁には移動スライド溝が設置されており、前記開口溝の下端壁にはＴ形棒がスライドできるように連結されており、前記Ｔ形棒は下へ伸びて前記開口溝の下端壁を貫通して外部空間に伸びており、且つ前記作業ブロックの下端面とスライドできるように連結されており、前記Ｔ形棒と前記開口溝の間には戻し撥条が連結されており、前記延伸スライド溝の中には対称的に延伸ブロックがスライドできるように連結されており、前記延伸ブロックの上端面には前記Ｔ形棒とスライドできるように連結される係止溝が設置されており、左端の前記延伸ブロックと左端の前記皺防止ボードとが固定的に連結されており、右端の前記延伸ブロックと右端の前記皺防止ボードとが固定的に連結されており、前記延伸ブロックの下端面には前記移動スライド溝とスライドできるように連結される移動ブロックが固定的に設置されており、前記移動ブロックと前記移動スライド溝の間には連接撥条が連結されており、前記作業ブロックの上端面にはモーターが固定的に設置されており、前記モーターの上端面にはモーター軸が伝動できるように連結されており、前記モーター軸は上へ伸びていて前記リング盤と前記固定ボードを貫通しており、且つ前記リング盤と前記固定ボードとが回転できるように連結されており、前記ハンガーの中には切替溝が設置されており、前記モーター軸は上へ伸びていて前記ハンガーの下端面を貫通して前記切替溝の中に挿入されており、且つ前記ハンガーの下端面と前記切替溝の下端壁とが回転できるように連結されており、前記切替溝の左右端には対称的に収納溝が設置されており、前記収納溝の中にはそれぞれ袖ハンガーがスライドできるように連結されており、前記切替溝の中には駆動装置が設置されており、前記切替溝の上端壁には抜き穴が設置されており、前記抜き穴の上端壁には内凹槽が設置されており、前記内凹槽の中には制御装置が設置されており、
前記乾燥装置は前記固定ボードの中に位置する駆動チャンバを含み、前記モーター軸において前記駆動チャンバの中には第六傘歯車が固定的に設置されており、前記駆動チャンバの後端壁には貫通軸が回転できるように連結されており、前記貫通軸の前端には前記第六傘歯車を噛み合う第五傘歯車が固定的に設置されており、前記貫通軸の後端は後へ伸びて前記駆動チャンバを貫通しており、前記貫通軸の後端には乾燥用の固定ボードが固定的に設置されており、前記モーターを始動し、それにより前記モーター軸と前記第六傘歯車の回転によって、前記第五傘歯車と前記貫通軸を回転連動させ、それにより扇風機を回転連動させ、高速で風で乾燥させることができ、
前記制御装置は前記内凹槽とスライドできるように設置される位置制限ブロックを含み、前記位置制限ブロックの上端面にはフックが設置されており、前記位置制限ブロックの中には駆動軸が回転できるように連結されており、前記駆動軸の上端面には第四傘歯車が固定的に設置されており、前記第四傘歯車の下端には前記駆動軸と固定的に連結される第一傘歯車が設置されており、前記駆動軸の中には下へ開口する軸溝が設置されており、前記軸溝と前記モーター軸とがスライドできるように連結されており、前記軸溝の左端壁には連動溝が設置されており、前記連動溝の中には前記モーター軸と固定的に連結される連動ブロックがスライドできるように連結されており、前記連動ブロックと前記連動溝の上端壁の間には連動撥条が連結されており、前記駆動軸が回転し、それにより前記連動ブロックによって前記モーター軸を回転連動させることができ、
前記駆動装置は左右に対称的に設置されており、左の方を例として説明し、前記駆動装置は前記切替溝の左端壁と回転できるように連結される長リードスクリューを含み、前記長リードスクリューの右端には前記第四傘歯車と噛み合う第三傘歯車が固定的に設置されており、前記長リードスクリューは左へ伸びており、且つ前記切替溝の左端壁を貫通して前記収納溝の中に挿入されており、且つ前記袖ハンガーとネジ山によって連結されており、前記袖ハンガーの中には左右に貫通した風乾溝が連結されており、前記収納溝の右端壁には扇風機軸が回転できるように連結されており、前記扇風機軸は左へ伸びていて前記風乾溝の中に挿入されており、前記扇風機軸の左端には小扇風機が固定的に設置されており、前記扇風機軸の右端は右へ伸びていて前記切替溝の中に挿入されており、且つ前記切替溝の左端壁と回転できるように連結されており、前記扇風機軸の右端には前記第一傘歯車と噛み合う第二傘歯車が固定的に設置されており、前記長リードスクリューの回転により前記袖ハンガーを左右に移動連動させることができ、前記扇風機軸の回転により前記小扇風機を通じて袖を風で乾燥させることを特徴とする皺防止可能なシャツ干し器。
【手続補正２】
【補正対象書類名】明細書
【補正対象項目名】全文
【補正方法】変更
【補正の内容】
【発明の詳細な説明】
【技術分野】
【０００１】
本発明は服保護分野を取り上げて、具体的には皺防止可能なシャツ干し器である。
【背景技術】
【０００２】
シャツはフォーマルな服装として、需要量が非常に大きく、ところがシャツが洗濯されて干されてから、皺がいっぱいできて、次着る時にはアイロンをかける必要があり、すごく面倒くさく、それに冬の時、服が乾くまで時間がかかり、次の装着には不利である。
【先行技術文献】
【特許文献】
【０００３】
【特許文献１】中国特許出願公開第１０１１５８１０７号明細書
【発明の概要】
【発明が解決しようとする課題】
【０００４】
本発明の目的は皺防止可能なシャツ干し器を提供し、上記背景技術に提出される問題を解決する。
【課題を解決するための手段】
【０００５】
皺防止可能なシャツ干し器は、ハンガーを含み、前記ハンガーの下端壁には左右に対称的に連接スライド溝が設置されており、前記連接スライド溝の中には連接ブロックがスライドできるように連結されており、前記連接ブロックの下端には皺防止ボードが固定的に設置されており、前記皺防止ボードの左右の端面には対称的に十個の凸ブロックスライド溝が設置されており、前記凸ブロックスライド溝の中には凸ブロックがスライドできるように連結されており、前記凸ブロックと前記凸ブロックスライド溝の間には凸ブロック撥条が連結されており、前記凸ブロックによって服を伸びすぎるのを防止でき、前記ハンガーの下端面には左右に対称的に支持棒が固定的に設置されており、前記支持棒の下端には中空のリング盤が設置されており、前記リング盤の中には乾燥装置が設置されており、前記リング盤の中には固定ボードが設置されており、前記リング盤の下端面と左右に対称的な前記支持棒とが固定的に連結されており、前記支持棒の下端面には作業ブロックが固定的に設置されており、前記作業ブロックの中には開口溝が設置されており、前記開口溝の下端壁には左右に対称的に延伸スライド溝が設置されており、前記延伸スライド溝の下端壁には移動スライド溝が設置されており、前記開口溝の下端壁にはＴ形棒がスライドできるように連結されており、前記Ｔ形棒は下へ伸びて前記開口溝の下端壁を貫通して外部空間に伸びており、且つ前記作業ブロックの下端面とスライドできるように連結されており、前記Ｔ形棒と前記開口溝の間には戻し撥条が連結されており、前記延伸スライド溝の中には対称的に延伸ブロックがスライドできるように連結されており、前記延伸ブロックの上端面には前記Ｔ形棒とスライドできるように連結される係止溝が設置されており、左端の前記延伸ブロックと左端の前記皺防止ボードとが固定的に連結されており、右端の前記延伸ブロックと右端の前記皺防止ボードとが固定的に連結されており、前記延伸ブロックの下端面には前記移動スライド溝とスライドできるように連結される移動ブロックが固定的に設置されており、前記移動ブロックと前記移動スライド溝の間には連接撥条が連結されており、前記作業ブロックの上端面にはモーターが固定的に設置されており、前記モーターの上端面にはモーター軸が伝動できるように連結されており、前記モーター軸は上へ伸びていて前記リング盤と前記固定ボードを貫通しており、且つ前記リング盤と前記固定ボードとが回転できるように連結されており、前記ハンガーの中には切替溝が設置されており、前記モーター軸は上へ伸びていて前記ハンガーの下端面を貫通して前記切替溝の中に挿入されており、且つ前記ハンガーの下端面と前記切替溝の下端壁とが回転できるように連結されており、前記切替溝の左右端には対称的に収納溝が設置されており、前記収納溝の中にはそれぞれ袖ハンガーがスライドできるように連結されており、前記切替溝の中には駆動装置が設置されており、前記切替溝の上端壁には抜き穴が設置されており、前記抜き穴の上端壁には内凹槽が設置されており、前記内凹槽の中には制御装置が設置されている。
【０００６】
更なる技術方案、前記乾燥装置は前記固定ボードの中に位置する駆動チャンバを含み、前記モーター軸において前記駆動チャンバの中には第六傘歯車が固定的に設置されており、前記駆動チャンバの後端壁には貫通軸が回転できるように連結されており、前記貫通軸の前端には前記第六傘歯車を噛み合う第五傘歯車が固定的に設置されており、前記貫通軸の後端は後へ伸びて前記駆動チャンバを貫通しており、前記貫通軸の後端には乾燥用の固定ボードが固定的に設置されており、前記モーターを始動し、それにより前記モーター軸と前記第六傘歯車の回転によって、前記第五傘歯車と前記貫通軸を回転連動させ、それにより扇風機を回転連動させ、高速で風で乾燥させる。
【０００７】
更なる技術方案、前記制御装置は前記内凹槽とスライドできるように設置される位置制限ブロックを含み、前記位置制限ブロックの上端面にはフックが設置されており、前記位置制限ブロックの中には駆動軸が回転できるように連結されており、前記駆動軸の上端面には第四傘歯車が固定的に設置されており、前記第四傘歯車の下端には前記駆動軸と固定的に連結される第一傘歯車が設置されており、前記駆動軸の中には下へ開口する軸溝が設置されており、前記軸溝と前記モーター軸とがスライドできるように連結されており、前記軸溝の左端壁には連動溝が設置されており、前記連動溝の中には前記モーター軸と固定的に連結される連動ブロックがスライドできるように連結されており、前記連動ブロックと前記連動溝の上端壁の間には連動撥条が連結されており、前記駆動軸が回転し、それにより前記連動ブロックによって前記モーター軸を回転連動させる。
【０００８】
更なる技術方案、前記駆動装置は左右に対称的に設置されており、左の方を例として説明し、前記駆動装置は前記切替溝の左端壁と回転できるように連結される長リードスクリューを含み、前記長リードスクリューの右端には前記第四傘歯車と噛み合う第三傘歯車が固定的に設置されており、前記長リードスクリューは左へ伸びており、且つ前記切替溝の左端壁を貫通して前記収納溝の中に挿入されており、且つ前記袖ハンガーとネジ山によって連結されており、前記袖ハンガーの中には左右に貫通した風乾溝が連結されており、前記収納溝の右端壁には扇風機軸が回転できるように連結されており、前記扇風機軸は左へ伸びていて前記風乾溝の中に挿入されており、前記扇風機軸の左端には小扇風機が固定的に設置されており、前記扇風機軸の右端は右へ伸びていて前記切替溝の中に挿入されており、且つ前記切替溝の左端壁と回転できるように連結されており、前記扇風機軸の右端には前記第一傘歯車と噛み合う第二傘歯車が固定的に設置されており、前記長リードスクリューの回転により前記袖ハンガーを左右に移動連動させることができ、前記扇風機軸の回転により前記小扇風機を通じて袖を風で乾燥させる。
【発明の効果】
【０００９】
本発明の有益な効果は下記の通りである：
【００１０】
本装置は洗濯済みのシャツを完全に支え、干す過程中に、服に皺ができないようにし、それに本装置は高速で風で乾燥できる扇風機が設置されており、天気が悪い状況でシャツを風で乾かし、人々が日常に服を便利に着換えられ、本装置は機械の伝動によって作動しあい、誤る可能性を低め、同時に装置のコストを節約してエネルギー消費を節約する。
【図面の簡単な説明】
【００１１】
発明実施例或いは現有技術中の技術構想をもっとはっきり説明するため、以下は実施例或いは現有技術の説明に使用される付図に対して簡単なる紹介し、明らかに、以下の説明の付図は発明の実施例だけ、本分野の普通の技術人員にとって、創造的な労働を払わなくても、この付図によって他の付図を得られる。
【図１】図１は本発明の皺防止可能なシャツ干し器の全体断面の正面構成模式図
【図２】図２は本発明図１のＡの部分拡大図
【図３】図３は本発明図１のＢの部分拡大図
【発明を実施するための形態】
【００１２】
本発明の公開されるすべての特徴、或いは公開されるすべての方法或いは過程中の順次は互いに排斥する特徴と／或いは順序以外、全ての方式によって組み合わせる。
【００１３】
本説明書（いかなる付加特許請求と、摘要と附図を含み）の中に公開される任意の特徴は、特別に説明するしか、他の等値或いはそれに似る目的の切替特徴に切り替えられない。即ち、特別に説明しなければ、任意の特徴はシリーズ等値或いはそれに似る特徴の中の一つの例しかない。
【００１４】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１５】
図１−３を参考して、本発明が提供する実施例：皺防止可能なシャツ干し器は、ハンガー２６を含み、前記ハンガー２６の下端壁には左右に対称的に連接スライド溝５４が設置されており、前記連接スライド溝５４の中には連接ブロック５３がスライドできるように連結されており、前記連接ブロック５３の下端には皺防止ボード５２が固定的に設置されており、前記皺防止ボード５２の左右の端面には対称的に十個の凸ブロックスライド溝４９が設置されており、前記凸ブロックスライド溝４９の中には凸ブロック５０がスライドできるように連結されており、前記凸ブロック５０と前記凸ブロックスライド溝４９の間には凸ブロック撥条５１が連結されており、前記凸ブロック５０によって服を伸びすぎるのを防止でき、前記ハンガー２６の下端面には左右に対称的に支持棒４８が固定的に設置されており、前記支持棒４８の下端には中空のリング盤６８が設置されており、前記リング盤６８の中には乾燥装置１０１が設置されており、前記リング盤６８の中には固定ボード３４が設置されており、前記リング盤６８の下端面と左右に対称的な前記支持棒４８とが固定的に連結されており、前記支持棒４８の下端面には作業ブロック４６が固定的に設置されており、前記作業ブロック４６の中には開口溝３７が設置されており、前記開口溝３７の下端壁には左右に対称的に延伸スライド溝３９が設置されており、前記延伸スライド溝３９の下端壁には移動スライド溝４３が設置されており、前記開口溝３７の下端壁にはＴ形棒４１がスライドできるように連結されており、前記Ｔ形棒４１は下へ伸びて前記開口溝３７の下端壁を貫通して外部空間に伸びており、且つ前記作業ブロック４６の下端面とスライドできるように連結されており、前記Ｔ形棒４１と前記開口溝３７の間には戻し撥条３８が連結されており、前記延伸スライド溝３９の中には対称的に延伸ブロック４５がスライドできるように連結されており、前記延伸ブロック４５の上端面には前記Ｔ形棒４１とスライドできるように連結される係止溝４０が設置されており、左端の前記延伸ブロック４５と左端の前記皺防止ボード５２とが固定的に連結されており、右端の前記延伸ブロック４５と右端の前記皺防止ボード５２とが固定的に連結されており、前記延伸ブロック４５の下端面には前記移動スライド溝４３とスライドできるように連結される移動ブロック４２が固定的に設置されており、前記移動ブロック４２と前記移動スライド溝４３の間には連接撥条４４が連結されており、前記作業ブロック４６の上端面にはモーター４７が固定的に設置されており、前記モーター４７の上端面にはモーター軸３６が伝動できるように連結されており、前記モーター軸３６は上へ伸びていて前記リング盤６８と前記固定ボード３４を貫通しており、且つ前記リング盤６８と前記固定ボード３４とが回転できるように連結されており、前記ハンガー２６の中には切替溝６３が設置されており、前記モーター軸３６は上へ伸びていて前記ハンガー２６の下端面を貫通して前記切替溝６３の中に挿入されており、且つ前記ハンガー２６の下端面と前記切替溝６３の下端壁とが回転できるように連結されており、前記切替溝６３の左右端には対称的に収納溝２４が設置されており、前記収納溝２４の中にはそれぞれ袖ハンガー２５がスライドできるように連結されており、前記切替溝６３の中には駆動装置１０３が設置されており、前記切替溝６３の上端壁には抜き穴３１が設置されており、前記抜き穴３１の上端壁には内凹槽２７が設置されており、前記内凹槽２７の中には制御装置１０２が設置されている。
【００１６】
前記乾燥装置１０１は前記固定ボード３４の中に位置する駆動チャンバ６６を含み、前記モーター軸３６において前記駆動チャンバ６６の中には第六傘歯車６７が固定的に設置されており、前記駆動チャンバ６６の後端壁には貫通軸６４が回転できるように連結されており、前記貫通軸６４の前端には前記第六傘歯車６７を噛み合う第五傘歯車６５が固定的に設置されており、前記貫通軸６４の後端は後へ伸びて前記駆動チャンバ６６を貫通しており、前記貫通軸６４の後端には乾燥用の固定ボード３４が固定的に設置されており、前記モーター４７を始動し、それにより前記モーター軸３６と前記第六傘歯車３７の回転によって、前記第五傘歯車６５と前記貫通軸６４を回転連動させ、それにより扇風機３３を回転連動させ、高速で風で乾燥させる。
【００１７】
前記制御装置１０２は前記内凹槽２７とスライドできるように設置される位置制限ブロック２８を含み、前記位置制限ブロック２８の上端面にはフック２９が設置されており、前記位置制限ブロック２８の中には駆動軸３０が回転できるように連結されており、前記駆動軸３０の上端面には第四傘歯車５９が固定的に設置されており、前記第四傘歯車５９の下端には前記駆動軸３０と固定的に連結される第一傘歯車６２が設置されており、前記駆動軸３０の中には下へ開口する軸溝５５が設置されており、前記軸溝５５と前記モーター軸３６とがスライドできるように連結されており、前記軸溝５５の左端壁には連動溝５７が設置されており、前記連動溝５７の中には前記モーター軸３６と固定的に連結される連動ブロック５８がスライドできるように連結されており、前記連動ブロック５８と前記連動溝５７の上端壁の間には連動撥条５６が連結されており、前記駆動軸３０が回転し、それにより前記連動ブロック５８によって前記モーター軸３６を回転連動させる。
【００１８】
前記駆動装置１０３は左右に対称的に設置されており、左の方を例として説明し、前記駆動装置１０３は前記切替溝６３の左端壁と回転できるように連結される長リードスクリュー２３を含み、前記長リードスクリュー２３の右端には前記第四傘歯車５９と噛み合う第三傘歯車６０が固定的に設置されており、前記長リードスクリュー２３は左へ伸びており、且つ前記切替溝６３の左端壁を貫通して前記収納溝２４の中に挿入されており、且つ前記袖ハンガー２５とネジ山によって連結されており、前記袖ハンガー２５の中には左右に貫通した風乾溝７０が連結されており、前記収納溝２４の右端壁には扇風機軸２１が回転できるように連結されており、前記扇風機軸２１は左へ伸びていて前記風乾溝７０の中に挿入されており、前記扇風機軸２１の左端には小扇風機２２が固定的に設置されており、前記扇風機軸２１の右端は右へ伸びていて前記切替溝６３の中に挿入されており、且つ前記切替溝６３の左端壁と回転できるように連結されており、前記扇風機軸２１の右端には前記第一傘歯車６２と噛み合う第二傘歯車６１が固定的に設置されており、前記長リードスクリュー２３の回転により前記袖ハンガー２５を左右に移動連動させることができ、前記扇風機軸２１の回転により前記小扇風機を通じて袖を風で乾燥させる。
【００１９】
使用する時、洗濯済のシャツをハンガー２６にかけ、それからＴ形棒４１を上に押え、それによりＴ形棒を係止溝４０から離脱させ、連接撥条４４によって延伸ブロック４５と皺防止ボード５２をそれぞれ左右両端に移動させ、シャツを固定させ、皺を防止し、それにフック２９を下へ押え、それにより袖ハンガー２５をそれぞれ下へ移動連動させ、第四傘歯車５９を第三傘歯車６０と噛み合わせ、それからモーター４７を始動し、それによりモーター軸３６を回転連動させ、それにより連動ブロック５８によって第四傘歯車５９と第三傘歯車６０を回転連動させ、それにより長リードスクリュー２３を回転連動させ、袖ハンガー２５をそれぞれ左右両端に移動させ、それにより袖を支え、そしてフック２９を竿掛けに掛け、それによりフック２９は上へ移動して第一傘歯車６２を第二傘歯車６１と噛み合わせ、モーター軸３６が回転して第六傘歯車６７と第五傘歯車６５と貫通軸６４と扇風機３３を回転連動させ、それにより衣服を高速で風で乾かし、駆動軸３０が回転して第二傘歯車６１と、第一傘歯車６２とを回転連動させ、それにより扇風機軸２１と小扇風機２２を回転連動させ、袖を風で乾かす。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
皺防止可能なシャツ干し器であって、ハンガーを含み、前記ハンガーの下端壁には左右に対称的に連接スライド溝が設置されており、前記連接スライド溝の中には連接ブロックがスライドできるように連結されており、前記連接ブロックの下端には皺防止ボードが固定的に設置されており、前記皺防止ボードの左右の端面には対称的に十個の凸ブロックスライド溝が設置されており、前記凸ブロックスライド溝の中には凸ブロックがスライドできるように連結されており、前記凸ブロックと前記凸ブロックスライド溝の間には凸ブロック撥条が連結されており、前記凸ブロックによって服を伸びすぎるのを防止でき、前記ハンガーの下端面には左右に対称的に支持棒が固定的に設置されており、前記支持棒の下端には中空のリング盤が設置されており、前記リング盤の中には乾燥装置が設置されており、前記リング盤の中には固定ボードが設置されており、前記リング盤の下端面と左右に対称的な前記支持棒とが固定的に連結されており、前記支持棒の下端面には作業ブロックが固定的に設置されており、前記作業ブロックの中には開口溝が設置されており、前記開口溝の下端壁には左右に対称的に延伸スライド溝が設置されており、前記延伸スライド溝の下端壁には移動スライド溝が設置されており、前記開口溝の下端壁にはＴ形棒がスライドできるように連結されており、前記Ｔ形棒は下へ伸びて前記開口溝の下端壁を貫通して外部空間に伸びており、且つ前記作業ブロックの下端面とスライドできるように連結されており、前記Ｔ形棒と前記開口溝の間には戻し撥条が連結されており、前記延伸スライド溝の中には対称的に延伸ブロックがスライドできるように連結されており、前記延伸ブロックの上端面には前記Ｔ形棒とスライドできるように連結される係止溝が設置されており、左端の前記延伸ブロックと左端の前記皺防止ボードとが固定的に連結されており、右端の前記延伸ブロックと右端の前記皺防止ボードとが固定的に連結されており、前記延伸ブロックの下端面には前記移動スライド溝とスライドできるように連結される移動ブロックが固定的に設置されており、前記移動ブロックと前記移動スライド溝の間には連接撥条が連結されており、前記作業ブロックの上端面にはモーターが固定的に設置されており、前記モーターの上端面にはモーター軸が伝動できるように連結されており、前記モーター軸は上へ伸びていて前記リング盤と前記固定ボードを貫通しており、且つ前記リング盤と前記固定ボードとが回転できるように連結されており、前記ハンガーの中には切替溝が設置されており、前記モーター軸は上へ伸びていて前記ハンガーの下端面を貫通して前記切替溝の中に挿入されており、且つ前記ハンガーの下端面と前記切替溝の下端壁とが回転できるように連結されており、前記切替溝の左右端には対称的に収納溝が設置されており、前記収納溝の中にはそれぞれ袖ハンガーがスライドできるように連結されており、前記切替溝の中には駆動装置が設置されており、前記切替溝の上端壁には抜き穴が設置されており、前記抜き穴の上端壁には内凹槽が設置されており、前記内凹槽の中には制御装置が設置されており、
前記乾燥装置は前記固定ボードの中に位置する駆動チャンバを含み、前記モーター軸において前記駆動チャンバの中には第六傘歯車が固定的に設置されており、前記駆動チャンバの後端壁には貫通軸が回転できるように連結されており、前記貫通軸の前端には前記第六傘歯車を噛み合う第五傘歯車が固定的に設置されており、前記貫通軸の後端は後へ伸びて前記駆動チャンバを貫通しており、前記貫通軸の後端には乾燥用の固定ボードが固定的に設置されており、前記モーターを始動し、それにより前記モーター軸と前記第六傘歯車の回転によって、前記第五傘歯車と前記貫通軸を回転連動させ、それにより扇風機を回転連動させ、高速で風で乾燥させることができ、
前記制御装置は前記内凹槽とスライドできるように設置される位置制限ブロックを含み、前記位置制限ブロックの上端面にはフックが設置されており、前記位置制限ブロックの中には駆動軸が回転できるように連結されており、前記駆動軸の上端面には第四傘歯車が固定的に設置されており、前記第四傘歯車の下端には前記駆動軸と固定的に連結される第一傘歯車が設置されており、前記駆動軸の中には下へ開口する軸溝が設置されており、前記軸溝と前記モーター軸とがスライドできるように連結されており、前記軸溝の左端壁には連動溝が設置されており、前記連動溝の中には前記モーター軸と固定的に連結される連動ブロックがスライドできるように連結されており、前記連動ブロックと前記連動溝の上端壁の間には連動撥条が連結されており、前記駆動軸が回転し、それにより前記連動ブロックによって前記モーター軸を回転連動させることができ、
前記駆動装置は左右に対称的に設置されており、左の方を例として説明し、前記駆動装置は前記切替溝の左端壁と回転できるように連結される長リードスクリューを含み、前記長リードスクリューの右端には前記第四傘歯車と噛み合う第三傘歯車が固定的に設置されており、前記長リードスクリューは左へ伸びており、且つ前記切替溝の左端壁を貫通して前記収納溝の中に挿入されており、且つ前記袖ハンガーとネジ山によって連結されており、前記袖ハンガーの中には左右に貫通した風乾溝が連結されており、前記収納溝の右端壁には扇風機軸が回転できるように連結されており、前記扇風機軸は左へ伸びていて前記風乾溝の中に挿入されており、前記扇風機軸の左端には小扇風機が固定的に設置されており、前記扇風機軸の右端は右へ伸びていて前記切替溝の中に挿入されており、且つ前記切替溝の左端壁と回転できるように連結されており、前記扇風機軸の右端には前記第一傘歯車と噛み合う第二傘歯車が固定的に設置されており、前記長リードスクリューの回転により前記袖ハンガーを左右に移動連動させることができ、前記扇風機軸の回転により前記小扇風機を通じて袖を風で乾燥させ、連接撥条によって延伸ブロックと皺防止ボードをそれぞれ左右両端に移動させ、シャツを固定させ、皺を防止することを特徴とする皺防止可能なシャツ干し器。